(57)【要約】【課題】  底面から液体が漏れ出すことが無く、狭い空間でもゴミを大量に詰め込んだ内装体を容易に抜き出すことができるゴミ箱を提供する。【解決手段】  底面を形成する底面板と、底面板の外周部から立ち上がり筒状の側面を形成する側面板１２と、を有し、側面は、側面板１２の一部が重なり合って形成される重合部２１を備え、該重合部２１は、底面板と平行な横方向Ａと交差する側面板１２の２本の端辺１６、１７近傍部分が重なり合わされて形成され、側面板１２は、重合部２１において外側に位置する外方部４１と、重合部２１において内側に位置する内方部４２と、外方部４１と内方部４２の間に位置する中間部４３と、を備え、外方部４１と中間部４３は、底面板の外周部に固定されている。【選択図】  図１
0003181296.tif 000002
【実用新案登録請求の範囲】
【請求項１】
底面を形成する底面板と、前記底面板の外周部から立ち上がり筒状の側面を形成する側面板と、を有し、
前記側面は、前記側面板の一部が重なり合って形成される重合部を備え、
該重合部は、前記底面板と平行な横方向と交差する前記側面板の２本の端辺近傍部分が重なり合わされて形成され、
前記側面板は、前記重合部において外側に位置する外方部と、前記重合部において内側に位置する内方部と、前記外方部と内方部の間に位置する中間部と、を備え、
前記外方部と前記中間部は、前記底面板の外周部に固定されていることを特徴とするゴミ箱。
【請求項２】
前記外方部と前記内方部を係合させる係合部を備えることを特徴とする請求項１に記載のゴミ箱。
【請求項３】
前記係合部は、前記外方部の上端近傍に形成された係合舌辺と、前記内方部の上端近傍に形成された前記係合舌片を挿入可能な係合孔と、を備えることを特徴とする請求項２に記載のゴミ箱。
【請求項４】
前記外方部に位置する前記横方向と交差する端辺は、上方が前記中間部に近づくように傾斜して形成されていることを特徴とする請求項１乃至請求項３のいずれか１項に記載のゴミ箱。
【請求項５】
前記外方部に位置する前記横方向と交差する端辺の上端近傍には、側外方に突出する把持部が形成されていることを特徴とする請求項１乃至請求項４のいずれか１項に記載のゴミ箱。
【請求項６】
前記内方部における上端縁には、上方に突出する把持部が形成されていることを特徴とする請求項１乃至請求項５のいずれか１項に記載のゴミ箱。
【考案の詳細な説明】
【技術分野】
【０００１】
本考案は、ゴミを大量に詰め込んだゴミ袋等の内装体を容易に抜き出すことができるゴミ箱に関する。
【背景技術】
【０００２】
ゴミ袋等の内装体にゴミを大量に詰め込むと、当該内装体をゴミ箱から抜き出すことが困難なときがある。これは非常に煩わしいことであった。内装体を容易に抜き出すことができるゴミ箱については複数の提案がなされている。
【０００３】
例えば、特許文献１では、中空で上部を開口とした略直方体形状の容器を対向する２面と底面で２分割し、一方の側面の分割した端辺部分に蝶番を取り付け、他方の側面の分割した端辺部分に留め具を設けたゴミ箱の提案がなされている。この提案によれば、内装体を抜き出すときに留め具を外して容器を開くことにより、内装体を容易に抜き出すことができる。
【０００４】
また、特許文献２では、底面を有した略円筒形状の容器を円の直径部分で２分割し、分割することで形成された側面における４本の端辺部分に棒状体が挿通可能な円筒形状の挿通部を複数設け、挿通部の孔を重合させて棒状体を挿通させることで分割した２つの容器を結合したゴミ箱の提案がなされている。この提案によれば、２本の棒状体の内の一本を抜き取ることで側面を開くことができるため、内装体を容易に抜き出すことができる。
【先行技術文献】
【特許文献】
【０００５】
【特許文献１】実開平５−５４４０１号公報
【特許文献２】実開昭４９−９７９６９号公報
【考案の概要】
【考案が解決しようとする課題】
【０００６】
上述した特許文献１及び特許文献２のゴミ箱は、底面が分割されている。よって、台所で生ゴミ等を捨てるためのゴミ箱として使用すると、内装体から漏れ出した液体がゴミ箱の底面から漏れだし、床等が汚れるおそれがあった。また、容器を開くために広いスペースを必要とするため、狭い空間に配置しているゴミ箱等は、容器を開くために広いスペースへ動かす必要があった。
【０００７】
本考案は、このような問題点に鑑みてなされたものであり、一杯一杯に詰め込んだゴミや、ゴミを大量に詰め込んだ内装体を狭い空間で容易に抜き出すことができるゴミ箱を提供することを目的としている。
【課題を解決するための手段】
【０００８】
本考案におけるゴミ箱は、底面を形成する底面板と、前記底面板の外周部から立ち上がり筒状の側面を形成する側面板と、を有し、前記側面は、前記側面板の一部が重なり合って形成される重合部を備えている。また、該重合部は、前記底面板と平行な横方向と交差する前記側面板の２本の端辺近傍部分が重なり合わされて形成され、前記側面板は、前記重合部において外側に位置する外方部と、前記重合部において内側に位置する内方部と、前記外方部と内方部の間に位置する中間部と、を備えている。そして、前記外方部と前記中間部は、前記底面板の外周部に固定されていることを特徴とする。
【０００９】
上記ゴミ箱は、前記外方部と前記内方部を係合させる係合部を備えることを特徴とする。
【００１０】
また、上記ゴミ箱において前記係合部は、前記外方部の上端近傍に形成された係合舌辺と、前記内方部の上端近傍に形成された前記係合舌片を挿入可能な係合孔と、を備えることを特徴とする。
【００１１】
さらに、上記ゴミ箱において前記外方部に位置する前記横方向と交差する端辺は、上方が前記中間部に近づくように傾斜して形成されていることを特徴とする。
【００１２】
また、上記ゴミ箱は、前記外方部に位置する前記横方向と交差する端辺の上端近傍に、側外方に突出する把持部が形成されていることを特徴とする。
【００１３】
さらに、上記ゴミ箱は、前記内方部における上端縁に、上方に突出する把持部が形成されていることを特徴とする。
【考案の効果】
【００１４】
本考案によれば、底面から液体が漏れ出すことが無く、狭い空間でもゴミを大量に詰め込んだ内装体を容易に抜き出すことができるゴミ箱を提供することができる。
【図面の簡単な説明】
【００１５】
【図１】本考案の実施形態におけるゴミ箱の外観斜視図である。
【図２】上記ゴミ箱の内側を視認可能とした斜視図である。
【図３】上記ゴミ箱の展開図である。
【図４】上記ゴミ箱の側面を開いた状態を示す外観斜視図である。
【図５】上記ゴミ箱の側面を開いた状態における内側を視認可能とした斜視図である。
【図６】他の実施形態に係るゴミ箱の外観斜視図である。
【考案を実施するための形態】
【００１６】
以下、本考案の実施形態を図に基づいて詳細に述べる。
本実施形態のゴミ箱１は、図１及び図２に示すように、底面を形成する円形の底面板１１と、該底面板１１から立ち上がり筒状の側面を形成する側面板１２と、を備え、上方を開口とした略円錐台形状の箱体である。そして、ゴミ箱１は、側面に側面板１２の一部が重なり合って形成される重合部２１を備えている。この重合部２１は、側面板１２における底面板１１と平行な横方向Ａと交差する２本の端辺１６，１７近傍部分が重なり合って形成されている。このゴミ箱１は、重合部２１が開く様に変形可能とされており、重合部２１が変形することで上方の開口が拡がり、内側に詰め込んだゴミやゴミ袋等の内装体を容易に取り出すことができる。
【００１７】
また、ゴミ箱１は、重合部２１に係合部５１を備えている。この係合部５１は、側面板１２の重なり合っている部分で両板を係合させることにより、側面が開くことを規制している。
【００１８】
以下、ゴミ箱１についてさらに詳細に述べる。
ゴミ箱１は、図３に示すような、略方形状の側面板１２を横方向Ａと交差する端辺１６，１７近傍部分が重なり合うように筒状に丸め、側面板１２の下方の端辺１５の一部を底面板１１の外周部分に固定することにより容器状に形成されている。底面板１１と側面板１２の固定方法は、接着、溶着、その他、確実に固定できる方法であれば特に限定されるものではない。
【００１９】
底面板１１及び側面板１２は、所定の強度と柔軟性を有した樹脂材で形成されている。樹脂材としては、例えば、ポリプロピレン等を使用することができるが、これに限定されるものではない。
【００２０】
側面板１２は、展開状態では下端辺１５、上端辺１４、第一側端辺１６、第二側端辺１７を備える略方形状の板である。下端辺１５及び上側端辺１４は、横方向Ａと平行な端辺であり、第一側端辺１６及び第二側端辺１７は、横方向Ａと交差する端辺である。そして、側面板１２は、第一側端辺１６の近傍に上述した重合部２１において外側に位置する部分である外方部４１を備え、第二側端辺１７の近傍に重合部２１において内側に位置する部分である内方部４２を備え、外方部４１と内方部４２の間に中間部４３を備えている。
【００２１】
第一側端辺１６は、下端辺１５から上端辺１４に近づくにつれて中間部４３に近づくように傾斜して形成されている。本実施形態では、第一側端辺１６と下端辺１５でなす角度θは７０°とされている。また、第一側端辺１６の上端近傍部分には、外側方に突出する把持部６１が形成されている。すなわち、第一側端辺１６は、下端辺１５の一端から把持部６１まで延設されており、把持部６１が第一側端辺１６の上端と上端辺１４との間に位置している。なお、把持部６１についての詳しい説明は後述する。また、第一側端辺１６と下端辺１５でなす角度θは７０°に限定されるものではない。
【００２２】
第二側端辺１７は、上端辺１４及び下端辺１５と直交するように形成されている。なお、第二側端辺１７は、必ずしも上端辺１４及び下端辺１５と直交している必要はない。
【００２３】
下端辺１５は、中間部４３と内方部４２との境界部分に段差部４５を備えており、内方部４２に位置する下端辺１５が、外方部４１及び中間部４３に位置する下端辺１５よりも上方に位置している。言い換えれば、外方部４１及び中間部４３における上端辺１４と下端辺１５との距離ｈは、内方部４２における下端辺１５と上端辺１４との距離ｈ’よりも長く形成されており、上端辺１４には段差部が設けられていないため、下端辺１５に段差部４５が形成される。このように下端辺１５に段差部４５を設けることにより、図２に示すように、側面板１２の内方部４２は、底面板１１から下端辺１５が離間した状態で外方部４１の内側に位置している。上端辺１４の第二側端辺１７近傍部分には、把持部６２が形成されている。この把持部６２に関しての詳しい説明は後述する。
【００２４】
重合部２１の上端近傍部分には、図１乃至図３に示すように、側面板１２の外方部４１と内方部４２が重なり合った状態を維持するための係合部５１が形成されている。この係合部５１は、外方部４１に設けられた係合舌片５２と、内方部４２に設けられた係合舌片５２を挿入可能な係合孔５３と、からなる。
【００２５】
係合舌片５２は、第一側端辺１６を上端縁１４まで延長させた延長線Ｊ上の２点Ｂ、Ｃを繋ぐ線の間に設けられている。すなわち、係合舌片５２は、下方に位置する点Ｂから横方向Ａに平行に切抜きを設け、上方に位置する点Ｃから下方に向けて円弧状の切抜きを設け、これらの切抜きが交差して形成されている。すなわち、係合舌片５２は、円弧状に形成された円弧部５５と、直線部５６とを備えた形状とされている。
【００２６】
係合孔５３は、内方部４２と外方部４１が重なり合った状態のときに、係合舌片５２と相対する位置に切抜き孔を設けることで形成されている。さらに具体的には、図３に示したように、内方部４２と中間部４３の境界線Ｄの下端点Ｅから下端辺１５に対して角度θ（７０°）の直線Ｆをひき、この直線Ｆ上における外方部４１と重なり合ったときに点Ｂ、Ｃと重なる位置を切り抜くことにより形成されている。
【００２７】
そして、外方部４１と内方部４２は、図１及び図２に示すように、重なり合った状態で係合舌片５２を係合孔５３に挿入することで係合されている。係合舌片５２と係合孔５３が係合されている状態では、側面を拡げようとする力、すなわち、ゴミ箱１の内部にゴミ等を詰め込むことによって側面を外方に押す力が働いた場合でも、側面が拡がることはない。
【００２８】
把持部６１は、上端辺１４の外方部４１側端部から円弧状に側外方に突出した把持片６５と、把持片６５内に設けられた指等を挿入可能な大きさの切抜き孔６６と、から構成されている。この把持部６１は、係合部５１の係合状態を解除するときに指等で簡単に解除できるように設けられている。
【００２９】
把持部６２は、上端辺１４における第二側端辺１７との角部近傍において上方に突出するように設けられた把持片６７と、把持片６７内に設けられた切抜き孔６８と、から構成されている。
【００３０】
このような構成とされた本実施形態のゴミ箱１は、図４及び図５に示すように、係合部５１が解除状態のとき、内方部４２が下端点Ｅを中心に回動するように変形し、ゴミ箱１の上方の開口が大きく拡がる。ゴミ箱１の上方の開口が大きく拡がると、一杯一杯に詰め込んだゴミやゴミ袋等の内装体を容易に抜き出すことができることとなる。また、底面板１１は一枚の板により形成されており切込みなどがないため、生ゴミの汁等が内装体から漏れ出した場合でもゴミ箱１の底面から外に漏れ出すことを防止できる。
【００３１】
また、本実施形態のゴミ箱１は、係合部５１を備えることにより、係合部５１が係合されているときには上方の開口が拡がることはない。よって、ゴミ箱１の内側にゴミ等を一杯一杯に詰め込んだ場合でも、ゴミ箱１が変形することを防止できる。
【００３２】
さらに、本実施形態のゴミ箱１は、係合部５１が係合舌片５２と係合孔５３とから形成されている。このような構成とされている。このような構成とすることにより、係合舌片５２を係合孔５３から抜き出すだけで簡単に係合状態を解除することができ、また、係合孔５３に係合舌片５２を差し込むだけで係合状態とすることができ、ユーザーにとって使い勝手のよいゴミ箱１を提供できることとなる。また、係合舌片５２及び係合孔５３は、共に、側面板１２を切り抜くだけで形成できるため、ゴミ箱１の製造効率を高めることもできる。
【００３３】
また、本実施形態のゴミ箱１では、第一側端辺１６が上方に近づくにつれて中間部４３に近づくように傾斜して形成されている。このように形成することにより、外方部４１と内方部４２が重なり合う面積を、第一側端辺１６を横方向Ａと直交するように形成した場合よりも小さく抑えることができ、外方部４１と内方部４２との間で働く摩擦力を低く抑えることができる。また、このように形成することにより、外方部４１と内方部４２が重なり合う面積を小さくしたままで底面板１１と外方部４１との結合部分を広くすることができるため、側面板１２が変形した場合に外方部４１と底面板１１との間に働く剪断力に耐え得る丈夫なゴミ箱１を提供できることとなる。
【００３４】
さらに、外方部４１及び内方部４２の両方に把持部６１、６２を形成しているため、係合部５１の係合状態を解除すること、或いは、係合部５１を係合させることが容易となる。
【００３５】
上述した実施形態では、略円錐台形状のゴミ箱１について述べたが、この形状に限定されるものではない。例えば、図６に示すように、中空で略直方体形状のゴミ箱１００とすることもできる。この場合も上述した実施形態と同様に、側面の一部に側面板１１２を重なり合わせることで重合部１２１を形成し、重なり合った状態を維持するための係合部１５１を設けてある。
【００３６】
このような形状のゴミ箱１００とした場合でも、上述した実施形態と同様の作用効果が得られる。
【００３７】
すなわち、本考案は、底面板と側面板を備えるあらゆる形状のゴミ箱に採用することができ、上記実施形態で述べた形状に何ら限定されるものではない。また、係合部を設けずに、側面板の一部が重なり合った状態を維持させるためにベルトを使用したり、ゴム材を使用したり、或いは、蓋を設けることで側面板の一部が重なり合った状態を維持できるようにしてもよい。さらに、底面板にキャスターを用いたり、蓋の側面にゴミ捨ての入り口を設け、複数段に重ねられるようにしたりしてもよい。
【００３８】
なお、上述した実施形態で用いた図面の中に破線が記載されているが、破線は、実際に存在する線ではなく、説明を容易にするために記載しているものである。
【符号の説明】
【００３９】
１  ゴミ箱
１１  底面板
１２  側面板
１４  上端辺
１５  下端辺
１６  第一側端辺
１７  第二側端辺
２１  重合部
４１  外方部
４２  内方部
４３  中間部
４５  段差部
５１  係合部
５２  係合舌片
５３  係合孔
５５  円弧部
５６  直線部
６１  把持部
６２  把持部
６５  把持片
６６  切抜き孔
６７  把持片
６８  切抜き孔
１００  ゴミ箱
１１２  側面板
１２１  重合部
１５１  係合部
【図１】
0003181296.tif 000003
【図２】
0003181296.tif 000004
【図３】
0003181296.tif 000005
【図４】
0003181296.tif 000006
【図５】
0003181296.tif 000007
【図６】
0003181296.tif 000008